(57)【要約】      （修正有）【課題】同時に第１液体と第２液体とを押し出すことができる多導管式液体貯蔵容器を提供する。【解決手段】容器本体には複数の収納槽を設け、ヘッドは容器本体上に取り付けると共に押圧部２１及び押圧部にある数個の吐出口２３、２４を設け、且つ押圧部下方に数本の導液管２５、２６を組み込んで各吐出口と各導液管をそれぞれ連通状にすることにより、押圧部が押されると各収納槽内に充填された液体を同時に各吐出口から吐出させることができ、特に同比率で吐出し混合する液体を充填するのに適用される。【選択図】図３
0003153451.tif 000002
【実用新案登録請求の範囲】
【請求項１】
内部に複数の収納槽を成型した容器本体と、
前記容器本体上に組み込まれ、押圧部が成型されているヘッドと、
前記複数の収納槽に対応付けられ、前記押圧部の前端に形成されている複数の吐出口と互いに接続している複数の導液管と、を備え、
前記複数の導液管はそれぞれ前記複数の収納槽内にあり、前記複数の収納槽は前記複数の導液管を通ってそれぞれ前記複数の吐出口と連通するよう形成され、前記ヘッドを押すと、前記複数の吐出口は同時に前記複数の収納槽内に充填された液体を吐出することを特徴とする多導管式液体貯蔵容器。
【請求項２】
前記複数の収納槽は独立したスペースであって、それぞれ異なる液体を充填するためのものであることを特徴とする請求項1に記載の多導管式液体貯蔵容器。
【請求項３】
前記複数の導液管の管径は同じであることを特徴とする請求項1に記載の多導管式液体貯蔵容器。
【請求項４】
前記複数の導液管の管径は互いに比例関係にあることを特徴とする請求項1に記載の多導管式液体貯蔵容器。
【請求項５】
前記複数の収納槽の容量は同じであることを特徴とする請求項1に記載の多導管式液体貯蔵容器。
【請求項６】
前記複数の収納槽の容量は互いに比例関係にあることを特徴とする請求項1に記載の多導管式液体貯蔵容器。
【請求項７】
前記複数の吐出口の口径は同じであることを特徴とする請求項1に記載の多導管式液体貯蔵容器。
【請求項８】
前記複数の吐出口の口径は互いに比例関係にあることを特徴とする請求項1に記載の多導管式液体貯蔵容器。
【請求項９】
前記押圧部下方には弾性装置を設けることを特徴とする請求項1に記載の多導管式液体貯蔵容器。
【考案の詳細な説明】
【技術分野】
【０００１】
本考案は充填容器に関し、特に押圧すると多種類の液体を予め設定した比率で同時に吐出させる多導管式液体貯蔵容器に関する。
【背景技術】
【０００２】
ボディケア、シャンプー、フェイスケアクリーム、染髪剤、洗剤のような一般に液体を充填するための容器は、開口にヘッドを設けて、容器内の液体である内容物を押し出す。従来のヘッド構造は真空吸い上げ原理による設計を採用しており、ヘッドを押圧して真空吸引力を蓄積し、内部に設けたスプリングと協働してヘッドを元の位置まで押し上げることによって、容器内の液体を吸い上げて給送し、液体を汲液管に進入させて押圧キャップの吐出口から流出させる。この種の従来容器の内部は何れも一種類のみの液体しか貯蔵できず、ユーザーが染髪の際に２種類の配合剤を混合しなくてはならなくて、２種類以上の液体を混合して使用する必要がある場合、２つの容器にそれぞれ異なる配合剤を入れて、使用する際にそれぞれ押し出して混合することから、不経済であるだけでなく、使用や携帯も面倒で不便である。そこで、多種類の液体を貯蔵する問題を解決するために、図１に示したのが従来の容器構造である。それは容器Ａ１内に２つの貯蔵スペースＡ１０を設けて、それぞれ異なる液体を貯蔵すると共に、各貯蔵スペースＡ１０にそれぞれヘッド構造Ａ１２を設けて、使用の際に各ヘッド構造Ａ１２をそれぞれ押圧し、２種類の異なる液体を押し出して混合使用する。
【考案の概要】
【考案が解決しようとする課題】
【０００３】
然しながら、この種の容器は２つのヘッド構造Ａ１２を取り付けなければならず、そのコストが一般の容器構造よりも相当高く、さらに使用の際、異なる液体を押し出すために、２つのヘッド構造Ａ１２をそれぞれ押圧する必要があり、ユーザーにとってかなり不便であり、しかも２種類の異なる液体を一定の比率で混合しなければならない場合、ユーザーはヘッド構造Ａ１２を押圧する力を注意深く加減する必要があり、さもなければある液体の押し出し量が必要な比率に合わず、押し出し量が多過ぎてしまったり、混合後の使用効果が芳しくないといった問題が起こる。
【０００４】
本考案の主な目的は、ユーザーがヘッドを押圧するだけで、同時に第１液体と第２液体とを押し出すことができ、第１液体と第２液体が予め設定した比率で押し出され、ユーザーが直接混合して使用できる多導管式液体貯蔵容器を提供することにある。また、本考案は１つのヘッドを取り付けるだけでよいので、構造が簡単であるのみならず、コストを効果的に低減することができる。
【課題を解決するための手段】
【０００５】
前述の目的を達するために、本考案の多導管式液体貯蔵容器は、容器本体、ヘッド、複数の導液管を備える。容器本体は、内部に複数の収納槽を成型する。ヘッドは、容器本体上に組み込まれ、押圧部が成型されている。複数の導液管は、複数の収納槽に対応付けられ、押圧部の前端に形成されている複数の吐出口と互いに接続している。複数の導液管はそれぞれ複数の収納槽内にあり、複数の収納槽は複数の導液管を通って、それぞれ各吐出口と連通するよう形成される。ヘッドを押すと、各吐出口は同時に各収納槽内に充填された液体を吐出する。
【図面の簡単な説明】
【０００６】
【図１】従来の容器構造である。
【図２】本考案の第１実施形態の多導管式液体貯蔵容器の外観斜視図である。
【図３】本考案の第１実施形態の多導管式液体貯蔵容器の構造概略図である。
【図４】本考案の第１実施形態の多導管式液体貯蔵容器の実施概略図である。
【図５】本考案の第２実施形態の多導管式液体貯蔵容器の導管を示す図である。
【考案を実施するための形態】
【０００７】
以下、実施形態において本考案の詳細な特徴及び長所を詳述するが、その内容は当業者が本考案の技術内容を理解してそれによって実施するのに充分であり、しかも本明細書で開示した内容、実用新案登録請求の範囲及び図面に基づいて、当業者は容易に本考案に関する目的と長所を理解することができる。
（第１実施形態）
【０００８】
図２は本考案の第１実施形態の多導管式液体貯蔵容器の外観斜視図である。図示される多導管式液体貯蔵容器１は容器本体１０、ヘッド２０を含み、容器本体１０はプラスチック素材で射出成型するが、本考案はこの限りでない。容器本体１０は第１収納槽１１と第２収納槽１２を設けることができ、そのうち第１収納槽１１と第２収納槽１２はそれぞれ独立したスペースで、互いに連通しておらず、しかも第１収納槽１１は第１液体を貯蔵し、第２収納槽１２は第１液体と異なる第２液体を貯蔵する。
【０００９】
図３は本考案の第１実施形態の構造概略図である。図示されるヘッド２０は容器本体１０上（図２参照）に取付けられ、ヘッド２０はユーザーが押圧するための押圧部２１を成形し、押圧部２１には第１吐出口２３と第２吐出口２４を設け、そのうちヘッド２０下方に第１導液管２５を組み込み、この第１導液管２５と第１吐出口２３は連通し、また第１導液管２５は第１収納槽１１内に組み込んで、第１吐出口２３と第１収納槽１１を連通させる。さらに、ヘッド２０下方に第２導液管２６を組み込み、この第２導液管２６と第２吐出口２４は連通し、また第２導液管２６は第２収納槽１２内に組み込んで、第２吐出口２４と第２収納槽１２を連通させる。図示されるように、ヘッド２０の押圧部２１に力を加えて押圧した後、自動的に元の位置まで戻すことができるように、弾性装置２２を押圧部２１の下方に組み込むことで、押圧部２１を押圧した後、弾性装置２２によって元の位置まで戻すことができ、次回使用するのに便利である。この弾性装置２２内部はスプリング又は同様な効果を持つ弾性体でよいが、ここではこれ以上贅言しないこととする。
【００１０】
図４は本考案の第１実施形態の実施概略図である。ユーザーがヘッド２０の押圧部２１を押圧すると（図の点線矢印箇所）、第１収納槽１１内の第１液体Ｌ１を第１導液管２５が導いて、第１吐出口２３から流出すると同時に、第２収納槽１２内の第２液体Ｌ２もまた第２導液管２６から第２吐出口２４に流出し、こうしてユーザーがヘッド２０の押圧部２１を１回押圧すれば同時に第１液体と第２液体を押し出すことができて、それらを混合使用できる。このように、１回押圧すると２種類の液体の吐出量の比率が同等であることが保証され、簡単便利である。また、本実施例において、第１収納槽１１の容量は第２収納槽１１の容量と同等で、第１液体Ｌ１と第２液体Ｌ２の貯蔵量を同等にし、しかも第１導液管２５の管径は第２導液管２６の管径と同じにすることができ、ユーザーがヘッド２０の押圧部２１を押圧すると、第１液体Ｌ１と第２液体Ｌ２は同等の比率で流出して、ユーザーは第１液体Ｌ１と第２液体Ｌ２を均等に混合して使用することができる。このほか、前述の説明の第１収納槽１１と第２収納槽１２の数は共に１つであるが、本考案ではこの限りでなく、実際に液体を混合する必要に応じて第１収納槽１１と第２収納槽１２の数を調整すると共に、第１吐出口２３、第２吐出口２４、第１導液管２５及び第２導液管２６の数もこれに対応して調整することができる。さらに、第１収納槽１１又は第２収納槽１２の数が２つ以上である場合、実際の必要に応じて同様又は異なる液体を貯蔵する。例えば、３つの収納槽を有する容器を製作し、３つの吐出口を成型したヘッドを組み合わせ、さらにそれぞれ導液管（計３本）を組み込んで、同時に３種類の液体を吐出し、且つ比率に応じて分配可能な多導管式液体貯蔵容器となる。
（第２実施形態）
【００１１】
図５は本考案の第２実施形態である。図に示すように、本考案の第２実施形態に開示したヘッド２０は、異なる比率の液体を吐出するのに使用され、必要とされる多種類の液体が予め設定された比率によって混合使用する必要がある場合、容器本体１０は容量比が予め設定された比率である第１収納槽１１と第２収納槽１２（図示せず、図４参照）を設置することができる。例えば、１：１．５だと、ヘッド２０は予め設定された比率におよそ適合する第１吐出口２３と第２吐出口２４を設置し、本図に開示したように、第１吐出口２３と第２吐出口２４の口径比を約１：１．５とし、さらに第１導液管２５及び第２導液管２６の管径比も同様に１：１．５とし、ユーザーがヘッド２０の押圧部２１を押圧すると、同時に予め設定された比率で第１液体と第２液体が押し出されて、ユーザーは直接それらを混合使用することができ、従来の容器構造のように、押圧する力を加減して液体の吐出量を制御する必要が無く、従来の容器構造によって液体の押し出しが多すぎて無駄を招いたり、予め設定された比率で液体が混合されないことで使用効果が芳しくなくなるといった問題を効果的に解決した。
【００１２】
前述の説明の中で、ヘッド２０に管径比が予め設定された比率の第１導液管２５と第２導液管２６を穿設するだけで、第１収納槽１１と第２収納槽１２の容量比は実際の必要に応じて予め設定された比率としないでもよく、ヘッド２０の第１吐出口２３と第２吐出口２４のサイズ比率もまた、実際の必要に応じて予め設定された比率としないでもよく、このようしてユーザーが本考案の多導管式液体貯蔵容器１を使用する際、第１液体と第２液体が必要とする予め設定された比率に応じて、適当な第１導液管２５及び第２導液管２６に交換すると同時に、異なる口径のヘッド２０を選択すると、予め設定された比率の第１液体と第２液体を同時に押し出すことができ、本考案を使用する利便性が高まることとなる。
【００１３】
以上述べたことをまとめると、本考案に基づいて実施すると、ユーザーがヘッドを押圧するだけで、第１液体と第２液体を同時に押し出すことができ、しかも第１液体と第２液体は予め設定された比率で押し出され、ユーザーが直接混合して使用できる多導管式液体貯蔵容器を提供するという目的を確実に達することができる。
【００１４】
本考案の技術内容は既に好ましい実施例により上記に開示しているが、このことは本発明を限定するものではなく、当業者が本考案の精神を逸脱しないで行った若干の変更若しくは修飾についても、全て本考案の範囲内に含まれるものとする。
【符号の説明】
【００１５】
１：多導管式液体貯蔵容器、１０：容器本体、１１：第１収納槽、１２：第２収納槽２０：ヘッド、２１：押圧部、２２：弾性装置、２３：第１吐出口、２４：第２吐出口２５：第１導液管、２６：第２導液管、Ａ１：容器、Ａ１０：貯蔵スペースＡ１２：ヘッド構造、Ｌ１：第１液体、Ｌ２：第２液体
【図１】
0003153451.tif 000003
【図２】
0003153451.tif 000004
【図３】
0003153451.tif 000005
【図４】
0003153451.tif 000006
【図５】
0003153451.tif 000007